(57)【要約】【課題】この発明は、容易に電子部品を電気ケーブルに接続できる接続構造を提供することを目的とする。【解決手段】対向方向Ｘの両端に接点４０ａが配置された電子部品４０を対向方向Ｘの両側から挟み込んで各接点４０ａと接触することで、電気回路を構成するとともに、フラットケーブル１００と電子部品４０とを電気的に接続する対の接続端子３０と、対向させて配置した接続端子３０の挿着固定を許容するモジュールケース１０とを備えたＬＥＤモジュール１であって、該接続端子３０を、モジュールケース１０に挿着固定する固定プレート３０ａと、接点４０ａに接触する傾斜接触部３０ｃと、固定プレート３０ａを反力として傾斜接触部３０ｃを対向方向Ｘに付勢するメインスプリング部３０ｂと、該メインスプリング部３０ｂによる、前記傾斜接触部３０ｃの対向方向への付勢を補助するサブスプリング部３０ｄとで構成した。【選択図】図２
2009239025.tif 000002
【特許請求の範囲】
【請求項１】
対向方向の両端に接点が配置された電子部品を対向方向の両側から挟み込んで各接点と接触することで、電気回路を構成するとともに、電気ケーブルと前記電子部品とを電気的に接続する対の端子部材と、
対向させて配置した前記端子部材の挿着固定を許容する函体とを備えた接続構造であって、
前記端子部材を、
前記函体に挿着固定する挿着固定部と、
前記接点に接触する接触部と、
前記挿着固定部を反力として、前記接触部を対向方向に付勢するばね部と、
該ばね部による、前記接触部の対向方向への付勢を補助する付勢補助部とで構成した
接続構造。
【請求項２】
該接触部を、
前記対の接続端子の対向側に配置され、上方が対向方向の外側に傾斜する傾斜面で構成した
請求項１に記載の接続構造。
【請求項３】
前記挿着固定部、前記ばね部、前記接触部及び前記付勢補助部を、この順で一体構成した
請求項１又は２に記載の接続構造。
【請求項４】
前記ばね部を、前記挿着固定部から突出させて形成し、
前記付勢補助部を、前記接触部の先端から折り返して形成するとともに、前記挿着固定部に接触させた
請求項３に記載の接続構造。
【発明の詳細な説明】
【技術分野】
【０００１】
この発明は、例えば、車両の照明装置や制御装置に使用される電子部品を電気ケーブルに接続する接続構造に関する。
【背景技術】
【０００２】
従来、自動車の各種コントロールユニットや照明装置等にはプリント基板上に複数の電子部品を実装した電子部品搭載モジュールが用いられている。このような電子部品搭載モジュールは、例えば、半田接続によって電子部品を基板に実装し、モジュールと外部電気回路とは、基板と半田接続された端子を有するコネクタによって接続される（特許文献１参照）。
【０００３】
しかし、電子部品と回路導体とは半田接続されるため、例えば、平面視２ｍｍ×２ｍｍ角のＬＥＤチップのようにますます小型化する電子部品を接続する場合には、多くの工数もしくは設備投資と品質管理を要するという問題があった。
【０００４】
【特許文献１】特開２００４―１１１４３５号公報
【発明の開示】
【発明が解決しようとする課題】
【０００５】
この発明は、容易に電子部品を電気ケーブルに接続できる接続構造を提供することを目的とする。
【課題を解決するための手段】
【０００６】
この発明は、対向方向の両端に接点が配置された電子部品を対向方向の両側から挟み込んで各接点と接触することで、電気回路を構成するとともに、電気ケーブルと前記電子部品とを電気的に接続する対の端子部材と、対向させて配置した前記端子部材の挿着固定を許容する函体とを備えた接続構造であって、前記端子部材を、前記函体に挿着固定する挿着固定部と、前記接点に接触する接触部と、前記挿着固定部を反力として、前記接触部を対向方向に付勢するばね部と、該ばね部による、前記接触部の対向方向への付勢を補助する付勢補助部とで構成したことを特徴とする。
【０００７】
この発明の態様として、該接触部を、前記対の接続端子の対向側に配置され、上方が対向方向の外側に傾斜する傾斜面で構成することができる。  
また、この発明の態様として、前記挿着固定部、前記ばね部、前記接触部及び前記付勢補助部を、この順で一体構成することができる。
【０００８】
また、この発明の態様として、前記ばね部を、前記挿着固定部から突出させて形成し、前記付勢補助部を、前記接触部の先端から折り返して形成するとともに、前記挿着固定部に接触させることができる。
【０００９】
上記対向方向は、一対で構成された接続端子を対向させて配置した方向であり、取り付けるフラットケーブルの長手方向と同方向であることを含む。  
上記電子部品には、ＬＥＤチップ等の光源デバイスや各種センサ、さらには供給電圧を調整する抵抗器や高い電圧が印加される場合のバイパス回路を構成するダイオード等であることを含む。
【００１０】
上記接続端子は、電子部品を電気ケーブルに直接接続する端子や、電子部品同士を接続することで間接的に電気ケーブルに接続する端子であることを含む。  
上記電気ケーブルは、幅方向に所定間隔を隔てて配設した複数の平型導体と該複数の平型導体を一体的に平板状に被覆する被覆部材とからなるフラットケーブルであることを含む。  
なお、電気ケーブルとして丸撚り線を幅方向に並べて一体化したリボン電線を用いても良いが、放熱効果が高いフラットケーブルがより好ましい。
【発明の効果】
【００１１】
この発明によれば、容易に電子部品を電気ケーブルに接続できる接続構造を提供することができる。
【発明を実施するための最良の形態】
【００１２】
本発明のＬＥＤモジュール１は、対向方向Ｘの両端に接点４０ａが配置された電子デバイス４０（４１，４２，４３）を対向方向Ｘの両側から挟み込む対の接続端子３０（３１，３２，３３）と、対向させて配置した接続端子３０の挿着固定を許容するデバイスケース１２とで構成している。
【００１３】
接続端子３０は、電子デバイス４０を対向方向Ｘの両側から挟み込んで各接点４０ａ（４１ａ，４２ａ，４３ａ）と接触することで、電気回路を構成するとともに、フラットケーブル１００と電子デバイス４０とを電気的に接続している。
【００１４】
また、接続端子３０は、デバイスケース１２に挿着固定する固定プレート３０ａと、接点４０ａに接触する傾斜接触部３０ｃと、前記固定プレート３０ａを反力として前記傾斜接触部３０ｃを対向方向Ｘに付勢するメインスプリング部３０ｂと、メインスプリング部３０ｂによる傾斜接触部３０ｃの対向方向Ｘへの付勢を補助するサブスプリング部３０ｄとで構成している。  
また、傾斜接触部３０ｃは、接続端子３０において前記対の接続端子の対向側に配置され、上方が対向方向Ｘの外側に傾斜する傾斜面で構成している。
【００１５】
なお、固定プレート３０ａ、メインスプリング部３０ｂ、傾斜接触部３０ｃ及びサブスプリング部３０ｄは、この順で一体構成されている。  
メインスプリング部３０ｂは、固定プレート３０ａから突出させて形成している。  
サブスプリング部３０ｄは、傾斜接触部３０ｃの先端から折り返して形成するとともに、固定プレート３０ａに接触させている。
【００１６】
上述するＬＥＤモジュール１の構成について、図１乃至９とともに、詳述する。  
なお、図１はＬＥＤモジュール１の斜視図を示し、図２はＬＥＤモジュール１の分解斜視図を示し、図３はデバイスケース１２への接続端子３０の組み付けについての説明図を示し、図４は接続端子３０が組み付けられたデバイスケース１２の平面図（図４（ａ））と底面図（図４（ｂ））による説明図を示している。
【００１７】
さらに、図５は、接続端子３０が組み付けられたデバイスケース１２への電子デバイス４０及びケースカバー１１の組み付けについての説明図を示し、図６は電子デバイス４０が組み付けられたデバイスケース１２の平面図（図６（ａ））と底面図（図６（ｂ））による説明図を示し、図７はデバイスケース１２に組み付けられた状態の接続端子３０と電子デバイス４０の斜視図を示し、図８は接続端子３０及び電子デバイス４０が組み付けられたモジュールケース１０のフラットケーブル１００への取付けについての説明図を示し、図９は対向方向Ｘの断面図による説明図を示している。
【００１８】
電子デバイス４０を対向方向Ｘの両側から挟み込む接続端子３０と、対向させて配置した接続端子３０の挿着固定を許容するデバイスケース１２とで構成したＬＥＤユニット１は、電気回路を構成して電子デバイス４０と、フラットケーブル１００とを電気的に接続する接続ユニットである。
【００１９】
フラットケーブル１００は、幅方向Ｙに所定間隔を隔てて配設した２本の導電体１０１と、２本の導電体１０１を一体的に平板状に被覆する不導電性ラミネートシート１０２とで構成している。
【００２０】
電子デバイス４０は、光源となるＬＥＤチップ４２と、該ＬＥＤチップ４２に高い電圧が印加される場合のバイパス回路を構成するダイオード４１と、ＬＥＤチップ４２に印加される基本電圧を所定電圧に調整する電圧調整回路を構成する抵抗器４３とで構成され、ダイオード４１、ＬＥＤチップ４２並びに抵抗器４３の順で配置している。
【００２１】
なお、ＬＥＤチップ４２は、幅及び奥行きに対して高さの低い約１〜２ｍｍ角の略直方体で形成され、ＬＥＤチップ４２は上面に平面視円形の発光部４２ｂを備え、対向する両側面に底面から連続するＬ型の接点４２ａを備えている。
【００２２】
また、ダイオード４１、及び抵抗器４３の対向する両側面に底面から連続する接点４１ａ，４３ａを備えている。そして、接点４０ａ（４２ａ，４１ａ，４３ａ）がフラットケーブル１００の長手方向と同方向である対向方向Ｘとなる向きで、電子デバイス４０（４２，４１，４３）を配置している。
【００２３】
モジュールケース１０は、接続端子３０及び電子デバイス４０の挿着固定を許容するデバイスケース１２と、デバイスケース１２の上面に係止固定するケースカバー１１とで構成している。  
ケースカバー１１は、上面略中央にレンズ部１１ａを備え、対向方向Ｘの両側部中央にデバイスケース１２の係止フック１２ａの係止を許容する被係止部１１ｂを備えて、板状の平面視Ｈ型で形成している。
【００２４】
レンズ部１１ａは、図８に示すように、デバイスケース１２に装着されたＬＥＤチップ４２の上方で、発光部４２ｂの照射方向Ｓに配置された平面視円形のレンズで構成されている。
【００２５】
デバイスケース１２は、接続端子３０及び電子デバイス４０の挿着を許容し、厚み方向Ｚに貫通する端子挿着部２０（２１，２２，２３）を備えるとともに、上面における対向方向Ｘの両側部中央にケースカバー１１の被係止部１１ｂに係止する係止フック１２ａを備えている。  
また、デバイスケース１２の底面の幅方向Ｙの中央を厚み方向Ｚに凹ませて、取付けるフラットケーブル１００が嵌合する嵌合溝１２ｂを形成している。
【００２６】
端子挿着部２０は、ダイオード４１及びダイオード４１に接触するダイオード用接続端子３１の挿着を許容するダイオード用端子挿着部２１と、ＬＥＤチップ４２及びＬＥＤチップ４２に接触するＬＥＤ用接続端子３２の挿着を許容するＬＥＤ用端子挿着部２２と、抵抗器４３及び抵抗器４３に接触する抵抗器用接続端子３３の挿着を許容する抵抗器用端子挿着部２３とで構成し、幅方向Ｙにこの順で配置している。
【００２７】
各端子挿着部２０は、デバイスケース１２を厚み方向Ｚに貫通する挿着溝本体２０ａ（２１ａ，２２ａ，２３ａ）と、端子挿着部２０の底面側における挿着溝本体２０ａの対向方向Ｘの両端に配置し、固定プレート３０ａの挿着固定を許容するプレート挿着固定部２０ｂ（２１ｂ，２２ｂ，２３ｂ）と、端子挿着部２０の上面側における挿着溝本体２０ａの対向方向Ｘの中央付近に配置し、電子デバイス４０の挿入を許容するデバイス挿入部２０ｃ（２１ｃ，２２ｃ，２３ｃ）とで構成している。
【００２８】
なお、挿着溝本体２０ａにおいて手前側（図３において左下側）にあるダイオード用端子挿着部２１のプレート挿着固定部２１ｂａ、ＬＥＤ用端子挿着部２２のプレート挿着固定部２２ｂａ及び抵抗器用端子挿着部２３のプレート挿着固定部２３ｂａのうち、プレート挿着固定部２１ｂａとプレート挿着固定部２２ｂａとは連通しており、奥側（図３において右上側）にあるダイオード用端子挿着部２１のプレート挿着固定部２１ｂｂ、ＬＥＤ用端子挿着部２２のプレート挿着固定部２２ｂｂ及び抵抗器用端子挿着部２３のプレート挿着固定部２３ｂｂは連通している。
【００２９】
接続端子３０は、ダイオード４１に接触するダイオード用接続端子３１と、ＬＥＤチップ４２に接触するＬＥＤ用接続端子３２と、抵抗器４３に接触する抵抗器用接続端子３３とで構成し、各接続端子３０は対向方向Ｘの中心を対称軸として２つの端子部材を対向配置して一対の接続端子を構成している。
【００３０】
各接続端子３０は、デバイスケース１２における端子挿着部２０のプレート挿着固定部２０ｂに挿着固定する固定プレート３０ａ（３１ａ，３２ａ，３３ａ）と、電子デバイス４０の接点４０ａに接触する傾斜接触部３０ｃ（３１ｃ，３２ｃ，３３ｃ）と、前記固定プレート３０ａを反力として前記傾斜接触部３０ｃを対向方向に付勢するメインスプリング部３０ｂ（３１ｂ，３２ｂ，３３ｂ）と、メインスプリング部３０ｂによる傾斜接触部３０ｃの対向方向Ｘへの付勢を補助するサブスプリング部３０ｄ（３１ｄ，３２ｄ，３３ｄ）とで構成している。
【００３１】
固定プレート３０ａは、幅方向Ｙ及び厚み方向Ｚの正面視幅広の長方形板状態で構成されている。  
メインスプリング部３０ｂ、傾斜接触部３０ｃ及びサブスプリング部３０ｄは、固定プレート３０ａの上辺幅方向中央から上方に突出させた、固定プレート３０ａの１／３程度の幅の帯状体で以下の折り曲げ加工によって形成されている。
【００３２】
詳しくは、固定プレート３０ａの上辺幅方向中央から上方に突出させ、対向方向Ｘの中央に向かっておよそ９０度屈曲させて形成した水平部分と、水平部分の先端から対向方向Ｘの中央下向きに向かっておよそ６０度屈曲させて形成した傾斜部分と、傾斜部分の下端から対向方向Ｘの外側上向きに向かっておよそ１６５度折り返して、前記水平部分の下側に戻るように形成した戻り傾斜部分と、戻り傾斜部分の先端から対向方向Ｘの外側下向きに向かって２段階屈曲させて形成した折返し端部分とで構成している。
【００３３】
このうち、固定プレート３０ａの上辺幅方向中央から上方に突出させ、およそ９０度屈曲させた水平部分と、水平部分の先端から対向方向Ｘの中央下向きに向かっておよそ６０度屈曲させた屈曲部分までをメインスプリング部３０ｂとし、傾斜部分を傾斜接触部３０ｃとし、傾斜部分の下端から折り返した折返し部分から、戻り傾斜部分及び折返し端部分までをサブスプリング部３０ｄとしている。
【００３４】
なお、手前側（図３において左下側）のダイオード用接続端子３１の固定プレート３１ａと、ＬＥＤ用接続端子３２の固定プレート３２ａとは一体に構成されているため電気的に接続されており、奥側（図３において右上側）にあるダイオード用接続端子３１の固定プレート３１ａ、ＬＥＤ用接続端子３２の固定プレート３２ａ及び抵抗器用接続端子３３の固定プレート３３ａは一体構成されているため電気的に接続されている。
【００３５】
また、一体に構成された手前側の固定プレート３１ａ及び固定プレート３２ａ、並びに抵抗器用接続端子３３の固定プレート３３ａのそれぞれには、フラットケーブル１００を貫通して接続端子３０を電気的に接続する接続脚部３４が一体構成されている。接続脚部３４は、対向方向Ｘ及び厚み方向Ｚの面で構成されたピアス刃３４ａを対向方向Ｘに所定間隔を隔てて３つ備えている。
【００３６】
なお、このような構成の接続端子３０は、適宜の弾性を有する銅製のプレートからプレス加工により形成されているが、導電性を有すれば金属製部材以外であってもよい。
【００３７】
上述のような構成で構成されたモジュールケース１０、接続端子３０、電子デバイス４０で構成するＬＥＤモジュール１の組み付け方法について、以下で説明する。  
まず図３（ａ）に示すように、対で構成された接続端子３０（３１，３２，３３）のうち固定プレート３１ａ，３２ａ，３３ａが一体構成された側の接続端子３０（３１，３２，３３）が奥側、そして接続脚部３４が装着された側の接続端子３０（３１，３２，３３）が手前側となり、さらに、各傾斜接触部３０ｃが対向方向Ｘの中央に向かって対向する向きで、接続脚部３４が上側となる上下逆さまの状態の接続端子３０（３１，３２，３３）を、上下逆さまのデバイスケース１２の上方に配置する。
【００３８】
このときデバイスケース１２は、連通するプレート挿着固定部２１ｂｂ、プレート挿着固定部２２ｂｂ及びプレート挿着固定部２３ｂｂが奥側となり、嵌合溝１２ｂが上側となるように上下逆さまの向きで配置する。
【００３９】
そして、固定プレート３０ａがプレート挿着固定部２０ｂに挿着固定されるまで、メインスプリング部３０ｂ、傾斜接触部３０ｃ及びサブスプリング部３０ｄを挿着溝本体２０ａに挿入する。この状態において、図３（ｂ）に示すように、接続脚部３４は、嵌合溝１２ｂの端子挿着部２０より突出した態様で、接続端子３０をデバイスケース１２に挿着することができる。
【００４０】
また、接続端子３０を挿着固定したデバイスケース１２の底面図である図４（ｂ）に示すように、各接続端子３０は固定プレート３０ａがプレート挿着固定部２０ｂに挿着固定されて、対向配置された各接続端子３０の位置が固定される。
【００４１】
なお、接続端子３０を挿着固定したデバイスケース１２の平面図である図４（ａ）や図９（ａ）に示すように、傾斜接触部３０ｃが対向する向きで配置され、端子挿着部２０に挿着固定された接続端子３０の傾斜接触部３０ｃが、各端子挿着部２０のデバイス挿入部２０ｃの平面における対向方向Ｘに突出し、側面視略Ｖ字状となる。
【００４２】
このように、上下逆さまにして各端子挿着部２０に各接続端子３０が挿着固定されたデバイスケース１２の上下方向を戻し、デバイスケース１２の上方から各電子デバイス４０を各端子挿着部２０のデバイス挿入部２０ｃに挿入する（図５（ｂ）参照）。
【００４３】
このとき、図４（ａ）や図９（ａ）に示すように、各電子デバイス４０は、各端子挿着部２０のデバイス挿入部２０ｃ側の平面における対向方向Ｘに突出し、側面視略Ｖ字状で端子挿着部２０に挿着固定された接続端子３０の傾斜接触部３０ｃの間に割り込んで挿着される（図６，図９（ｂ）参照）。
【００４４】
詳述すると、固定プレート３０ａを反力とするメインスプリング部３０ｂやサブスプリング部３０ｄの弾性力に逆らって傾斜接触部３０ｃを対向方向外側Ｘ１に押し広げて電子デバイス４０を挿着するため、傾斜接触部３０ｃに載置された状態となる電子デバイス４０の接点４０ａには、メインスプリング部３０ｂ及びサブスプリング部３０ｄによる対向方向内側Ｘ２（図６（ａ））の付勢力が作用することとなる。
【００４５】
したがって、接点４０ａと傾斜接触部３０ｃとは確実に電気的に接続することができるとともに、対向して略Ｖ字状を構成する傾斜接触部３０ｃ上に載置した状態で電子デバイス４０を挿着することができる。
【００４６】
図５（ｃ）や図９（ｃ）に示すように、電子デバイス４０を挿着したこの状態のデバイスケース１２の上方から、係止フック１２ａと被係止部１１ｂとを係止させてデバイスケース１２の上面にケースカバー１１を取付けてモジュールケース１０を構成する。なお、この状態においてダイオード用接続端子３１のダイオード用接続端子３１ｂの照射方向Ｓ上にケースカバー１１のレンズ部１１ａが配置されるようケースカバー１１が取付けられる。
【００４７】
そして、図８に示すように、デバイスケース１２の底面から突出する接続脚部３４のピアス刃３４ａでフラットケーブル１００を不導電性ラミネートシート１０２ごと貫通させて、フラットケーブル１００を嵌合溝１２ｂに嵌合させる。そして、フラットケーブル１００の底面（図８においては上面）から突出する突出部分３４ｂを幅方向Ｙの外側向きにカールさせてモジュールケース１０のフラットケーブル１００への取付けを完了する。
【００４８】
これにより、不導電性ラミネートシート１０２ごとフラットケーブル１００を貫通させたピアス刃３４ａによって、フラットケーブル１００の導電体１０１と接続端子３０とを電気的に接続することができる。したがって、接続端子３０に電気的に接続された電子デバイス４０と導電体１０１とを電気的に接続することができる。
【００４９】
また、手前側の固定プレート３１ａ，３２ａを一体に構成するとともに、奥側にある固定プレート３１ａ，３２ａ，３３ａを一体構成した各接続端子３０を対向配置し、その対向する傾斜接触部３０ｃの間に電子デバイス４０を挿着したことにより、光源となるＬＥＤチップ４２との電気回路、ダイオード４１によるＬＥＤチップ４２に高い電圧が印加される場合のバイパス回路、及び抵抗器４３によるＬＥＤチップ４２に印加される基本電圧を所定電圧に調整する電圧調整回路を構成し、当該電気回路をフラットケーブル１００に電気的に接続することができる。
【００５０】
さらに、点線で示すデバイスケース１２を透過した状態の斜視図である図７に示すように、各電子デバイス４０は、対向する傾斜接触部３０ｃ，３０ｃの間を割り込んで、固定プレート３０ａを反力とするメインスプリング部３０ｂ及びサブスプリング部３０ｄの付勢力を受けて側面視略Ｖ字状の傾斜接触部３０ｃに載置された状態で挿着されているため、接点４０ａと接続端子３０とを確実に電気的に接続することができる。
【００５１】
また、接続端子３０は、固定プレート３０ａによってデバイスケース１２に固定されるとともに、接続脚部３４によってフラットケーブル１００に固定されているものの、２つのバネ体であるメインスプリング部３０ｂ及びサブスプリング部３０ｄを介した傾斜接触部３０ｃで電子デバイス４０を支持する、すなわちデバイスケース１２から浮いた状態で支持することができる。
【００５２】
したがって、例えば、熱等によってモジュールケース１０が変形した場合やフラットケーブル１００に外力が付加された場合であっても、変形負荷や外力負荷をバネ体であるメインスプリング部３０ｂ及びサブスプリング部３０ｄが吸収できるため、上記負荷の悪影響が電子デバイス４０に及ぶことを防止できる。
【００５３】
さらには、各電子デバイス４０の間の相対位置に変化が生じた場合であっても、バネ体であるメインスプリング部３０ｂ及びサブスプリング部３０ｄが上記相対位置変化を吸収できるため、信頼性の高い電気回路を構築することができる。
【００５４】
なお、傾斜接触部３０ｃをバネ体であるメインスプリング部３０ｂのみならず、メインスプリング部３０ｂの付勢を補助するサブスプリング部３０ｄとともに付勢する構成としたことにより、確実に電子デバイス４０を傾斜接触部３０ｃで支持することができる。
【００５５】
さらには、サブスプリング部３０ｄの反力を、メインスプリング部３０ｂの反力と同様に固定プレート３０ａとしたことによって、サブスプリング部３０ｄの付勢方向をメインスプリング部３０ｂの付勢方向と同方向とすることができ、より効率的に、サブスプリング部３０ｄによってメインスプリング部３０ｂの付勢を補助することができる。
【００５６】
なお、上述のＬＥＤモジュール１のフラットケーブル１００への取付け方法の説明においては、フラットケーブル１００を貫通し、底面から突出した突出部分３４ｂをカールさせて接続脚部３４をフラットケーブル１００に固定したが、突出部分３４ｂをカールさせずとも、図示しない抜け止め手段を突出部分３４ｂに装着して接続脚部３４のフラットケーブル１００への固定を行ってもよい。
【００５７】
また、接続端子３０を挿着固定したデバイスケース１２をモジュールケース１００に取り付けてから電子デバイス４０を装着する構成であってもよい。
【００５８】
以上、この発明の構成と、上述の実施形態との対応において、
この発明の電子部品は、電子デバイス４０、ダイオード４１、ＬＥＤチップ４２、及び抵抗器４３に対応し、
以下同様に、
電気ケーブルは、フラットケーブル１００に対応し、
端子部材は、接続端子３０，ダイオード用接続端子３１，ＬＥＤ用接続端子３２，抵抗器用接続端子３３に対応し、
函体は、デバイスケース１２に対応し、
接続構造は、ＬＥＤモジュール１に対応し、
挿着固定部は、固定プレート３０ａ，３１ａ，３２ａ，３３ａに対応し、
接触部は、傾斜接触部３０ｃ，３１ｃ，３２ｃ，３３ｃに対応し、
ばね部は、メインメインスプリング部３０ｂ，３１ｂ，３２ｂ，３３ｂに対応し、
付勢補助部は、サブスプリング部３０ｄ，３１ｄ，３２ｄ，３３ｄに対応し、
電気回路は、バイパス回路や、電圧調整回路に対応するも、
この発明は、上述の実施形態の構成のみに限定されるものではなく、多くの実施の形態を得ることができる。
【００５９】
フラットケーブル１００は、接続脚部３４が接続しやすい絶縁部材である不導電性ラミネートシート１０２で被覆されたフラットケーブル１００であればよく、特に、本実施形態のものに限定されるものではないが、不導電性ラミネートシート１０２の材質としては、具体的にはＰＥＴ樹脂が好ましい。
【００６０】
また、導電体１０１についても、放熱性に優れる帯状の導電体だけでなく、丸形断面の導電体であってもよく、導電体１０１の材質としては導電性を有するものであれば良いが、好ましくは金属製、より好ましくは導電性に優れる銅、銅合金が良い。
【図面の簡単な説明】
【００６１】
【図１】ＬＥＤモジュールの斜視図。
【図２】ＬＥＤモジュールの分解斜視図。
【図３】デバイスケースへの接続端子の組み付けについての説明図。
【図４】接続端子が組み付けられたデバイスケースの説明図。
【図５】デバイスケースへの電子デバイス及びケースカバーの組み付けについての説明図。
【図６】電子デバイスが組み付けられたデバイスケースの説明図。
【図７】デバイスケースに組み付けられた状態の接続端子と電子デバイスの斜視図。
【図８】モジュールケースのフラットケーブルへの取付けについての説明図。
【図９】対向方向Ｘの断面図による説明図。
【符号の説明】
【００６２】
１…ＬＥＤモジュール
１２…デバイスケース
２０…端子挿着部
２１…ダイオード用端子挿着部
２２…ＬＥＤ用端子挿着部
２３…抵抗器用端子挿着部
３０…接続端子
３１…ダイオード用接続端子
３２…ＬＥＤ用接続端子
３３…抵抗器用接続端子
３０ａ，３１ａ，３２ａ，３３ａ…固定プレート
３０ｂ，３１ｂ，３２ｂ，３３ｂ…スプリング部
３０ｃ，３１ｃ，３２ｃ，３３ｃ…接触部
３０ｄ，３１ｄ，３２ｄ，３３ｄ…サブスプリング部
４０…電子デバイス
４１…ダイオード
４２…ＬＥＤチップ
４３…抵抗器
４０ａ，４１ａ，４２ａ，４３ａ…接点
１００…フラットケーブル
Ｘ…対向方向
【図１】
2009239025.tif 000003
【図２】
2009239025.tif 000004
【図３】
2009239025.tif 000005
【図４】
2009239025.tif 000006
【図５】
2009239025.tif 000007
【図６】
2009239025.tif 000008
【図７】
2009239025.tif 000009
【図８】
2009239025.tif 000010
【図９】
2009239025.tif 000011